(57)【要約】【課題】画像読取機能を用いるサービスにおいて利用者の作業負荷を軽減する。【解決手段】サーバ装置２００は、複数のサービスのうちのいずれかを選択する選択手段２５１と、選択手段２５１によって予め定められたサービスが選択された場合、画像読取に関する予め定められた設定に従った画像読取を画像読取手段１５１に指示する指示手段２５２と、画像読取手段１５１による処理結果を用いて、選択手段２５１により選択されたサービスに対応する処理を実行する実行手段２５３とを備える。【選択図】図７
2020025336.tif 000002
【特許請求の範囲】
【請求項１】
利用者の操作に応じて、複数のサービスのいずれかを選択するサービス選択手段を備えた画像処理装置と、
前記画像処理装置にネットワークを介して接続されたサーバ装置と、を備え、
前記サーバ装置は、
前記画像処理装置における前記サービス選択手段の選択に応じて、各々の前記画像処理装置について予め定められたサービスを選択する選択手段と、
前記画像処理装置について予め定められたサービスが前記選択手段により選択された場合には、当該予め定められたサービスについて予め定められた設定に従った画像読取の指示を当該画像処理装置に対して行う一方、前記画像処理装置について予め定められたサービスが前記選択手段により選択されなかった場合には、当該画像処理装置に対しては画像読取に関する前記指示を行わない指示手段と、
を備える情報処理システム。
【請求項２】
前記画像読取による処理結果を用いて、前記予め定められたサービスに対応する処理を実行する実行手段
を備える請求項１に記載の情報処理システム。
【請求項３】
前記予め定められた設定に関しては、利用者による指示を受け付けないようにする
請求項１又は２に記載の情報処理システム。
【請求項４】
前記予め定められたサービスは、読み取った画像を用いて物の管理を行う図書管理サービス又は読み取った画像を配送する際に配送状況を監視する配送監視サービスであり、
前記指示手段は、前記予め定められたサービスが選択された場合、画像読取の対象である媒体のサイズの検知処理を行うことなく予め定められたサイズでの画像読取を行うことを指示する
請求項１〜３のいずれか１項に記載の情報処理システム。
【請求項５】
前記予め定められたサービスは、読み取った画像を用いて物の管理を行う図書管理サービス又は読み取った画像を配送する際に配送状況を監視する配送監視サービスであり、
前記指示手段は、前記予め定められたサービスが選択された場合、カラーによる画像読取およびモノクロによる画像読取のうちモノクロでの画像読取を指示する
請求項１〜３のいずれか１項に記載の情報処理システム。
【請求項６】
前記予め定められたサービスは、予め定められた色の領域をマスキングするマーカーマスキングサービスであり、
前記指示手段は、前記マーカーマスキングサービスが選択された場合、カラーによる画像読取およびモノクロによる画像読取のうちカラーでの画像読取を指示する
請求項１〜３のいずれか１項に記載の情報処理システム。
【請求項７】
前記予め定められたサービスは、読み取った画像を用いて物の管理を行う図書管理サービスであり、
前記指示手段は、前記図書管理サービスが選択された場合、画像読取の対象である媒体の地肌を除去する処理を行うことを指示する
請求項１〜３のいずれか１項に記載の情報処理システム。
【請求項８】
前記予め定められたサービスは、読み取った画像を用いて物の管理を行う図書管理サービスであり、
前記指示手段は、前記図書管理サービスが選択された場合、画像の歪みを補正する歪み補正処理を行うことを指示する
請求項１〜３のいずれか１項に記載の情報処理システム。
【請求項９】
前記予め定められたサービスは、予め定められた色の領域をマスキングするマーカーマスキングサービスであり、
前記指示手段は、前記マーカーマスキングサービスが選択された場合、読み取った画像のカラー出力及びモノクロ出力のうちモノクロ出力を指示する
請求項１〜３のいずれか１項に記載の情報処理システム。
【請求項１０】
前記予め定められたサービスは、読み取った画像を用いて物の管理を行う図書管理サービス又は読み取った画像を配送する際に配送状況を監視する配送監視サービスであり、
前記指示手段は、前記予め定められたサービスが選択された場合、画像読取対象である媒体のサイズ検知に失敗したときに利用者に当該媒体のサイズの指定を行わせるための画像を表示することなく、予め定められたサイズでの画像読取を行うことを指示する１〜３のいずれか１項に記載の情報処理システム。
【請求項１１】
利用者の操作に応じて、複数のサービスのいずれかを選択するサービス選択手段を備えた画像処理装置にネットワークを介して接続されたコンピュータに、
前記画像処理装置における前記サービス選択手段の選択に応じて、各々の前記画像処理装置について予め定められたサービスを選択する選択ステップと、
前記画像処理装置について予め定められたサービスが前記選択手段により選択された場合には、当該予め定められたサービスについて予め定められた設定に従った画像読取の指示を当該画像処理装置に対して行う一方、前記画像処理装置について予め定められたサービスが前記選択手段により選択されなかった場合には、当該画像処理装置に対しては画像読取に関する前記指示を行わない指示ステップと、
を実行させるためのプログラム。
【発明の詳細な説明】
【技術分野】
【０００１】
本発明は情報処理システム及びプログラムに関する。
【背景技術】
【０００２】
図書や雑誌などの本をコンピュータで管理する仕組みが知られている。特許文献１には、外部書誌データベースと内部書誌データベースを検索し、両方に一致する書誌情報がある場合は、外部書誌データベースのマーク番号及び書誌識別コードと書誌番号とを関連付けして書誌統合データベースに登録する仕組みが開示されている。特許文献２には、書誌情報を一括管理する書誌データベースと各図書館の図書館データベースとを連携させて書誌情報を管理する仕組みが開示されている。
【先行技術文献】
【特許文献】
【０００３】
【特許文献１】特開２００４−２３４０７６号公報
【特許文献２】特開２００２−１６３２６号公報
【発明の概要】
【発明が解決しようとする課題】
【０００４】
本発明の目的は、画像読取機能を用いるサービスにおいて利用者の作業負荷を軽減する技術を提供することにある。
【課題を解決するための手段】
【０００５】
請求項１に係る情報処理システムは、利用者の操作に応じて、複数のサービスのいずれかを選択するサービス選択手段を備えた画像処理装置と、前記画像処理装置にネットワークを介して接続されたサーバ装置と、を備え、前記サーバ装置は、前記画像処理装置における前記サービス選択手段の選択に応じて、各々の前記画像処理装置について予め定められたサービスを選択する選択手段と、前記画像処理装置について予め定められたサービスが前記選択手段により選択された場合には、当該予め定められたサービスについて予め定められた設定に従った画像読取の指示を当該画像処理装置に対して行う一方、前記画像処理装置について予め定められたサービスが前記選択手段により選択されなかった場合には、当該画像処理装置に対しては画像読取に関する前記指示を行わない指示手段と、を備える情報処理システムである。請求項２に係る情報処理システムは、請求項１に記載の構成において、前記画像読取による処理結果を用いて、前記予め定められたサービスに対応する処理を実行する実行手段を備える。
【０００６】
請求項３に係る情報処理システムは、請求項１又は２に記載の構成において、前記予め定められた設定に関しては、利用者による指示を受け付けないようにする。
【０００７】
請求項４に係る情報処理システムは、請求項１〜３のいずれか１項に記載の構成において、前記予め定められたサービスは、読み取った画像を用いて物の管理を行う図書管理サービス又は読み取った画像を配送する際に配送状況を監視する配送監視サービスであり、前記指示手段は、前記予め定められたサービスが選択された場合、画像読取の対象である媒体のサイズの検知処理を行うことなく予め定められたサイズでの画像読取を行うことを指示する。
【０００８】
請求項５に係る情報処理システムは、請求項１〜３のいずれか１項に記載の構成において、前記予め定められたサービスは、読み取った画像を用いて物の管理を行う図書管理サービス又は読み取った画像を配送する際に配送状況を監視する配送監視サービスであり、前記指示手段は、前記予め定められたサービスが選択された場合、カラーによる画像読取およびモノクロによる画像読取のうちモノクロでの画像読取を指示する。
【０００９】
請求項６に係る情報処理システムは、請求項１〜３のいずれか１項に記載の構成において、前記予め定められたサービスは、予め定められた色の領域をマスキングするマーカーマスキングサービスであり、前記指示手段は、前記マーカーマスキングサービスが選択された場合、カラーによる画像読取およびモノクロによる画像読取のうちカラーでの画像読取を指示する。
【００１０】
請求項７に係る情報処理システムは、請求項１〜３のいずれか１項に記載の構成において、前記予め定められたサービスは、読み取った画像を用いて物の管理を行う図書管理サービスであり、前記指示手段は、前記図書管理サービスが選択された場合、画像読取の対象である媒体の地肌を除去する処理を行うことを指示する。
【００１１】
請求項８に係る情報処理システムは、請求項１〜３のいずれか１項に記載の構成において、前記予め定められたサービスは、読み取った画像を用いて物の管理を行う図書管理サービスであり、前記指示手段は、前記図書管理サービスが選択された場合、画像の歪みを補正する歪み補正処理を行うことを指示する。
【００１２】
請求項９に係る情報処理システムは、請求項１〜３のいずれか１項に記載の構成において、前記予め定められたサービスは、予め定められた色の領域をマスキングするマーカーマスキングサービスであり、前記指示手段は、前記マーカーマスキングサービスが選択された場合、読み取った画像のカラー出力及びモノクロ出力のうちモノクロ出力を指示する。
【００１３】
請求項１０に係る情報処理システムは、請求項１〜３のいずれか１項に記載の構成において、前記予め定められたサービスは、読み取った画像を用いて物の管理を行う図書管理サービス又は読み取った画像を配送する際に配送状況を監視する配送監視サービスであり、前記指示手段は、前記予め定められたサービスが選択された場合、画像読取対象である媒体のサイズ検知に失敗したときに利用者に当該媒体のサイズの指定を行わせるための画面を表示することなく、予め定められたサイズでの画像読取を行うことを指示する。
【００１４】
請求項１１に係るプログラムは、利用者の操作に応じて、複数のサービスのいずれかを選択するサービス選択手段を備えた画像処理装置にネットワークを介して接続されたコンピュータに、前記画像処理装置における前記サービス選択手段の選択に応じて、各々の前記画像処理装置について予め定められたサービスを選択する選択ステップと、
前記画像処理装置について予め定められたサービスが前記選択手段により選択された場合には、当該予め定められたサービスについて予め定められた設定に従った画像読取の指示を当該画像処理装置に対して行う一方、前記画像処理装置について予め定められたサービスが前記選択手段により選択されなかった場合には、当該画像処理装置に対しては画像読取に関する前記指示を行わない指示ステップと、
を実行させるためのプログラムである。
【発明の効果】
【００１５】
請求項１に係る情報処理システムによれば、予め定められたサービスが選択された場合に、画像読取に関する予め定められた設定に従った画像読取を画像読取手段に指示しない場合と比べて、利用者の作業負荷が軽減する。
請求項２に係る情報処理装置によれば、予め定められたサービスが選択された場合に、前記画像読取による処理結果を用いて、前記予め定められたサービスに対応する処理が実行される。
請求項３に係る情報処理システムによれば、予め定められた設定に関して利用者による指示を受け付ける場合と比べて、利用者の作業負荷が軽減する。
請求項４に係る情報処理システムによれば、図書管理サービス又は配送監視サービスにおいて、媒体のサイズ検知処理を行う場合に比べて利用者の作業負荷が軽減する。
請求項５に係る情報処理システムによれば、図書管理サービス又は配送監視サービスにおいて、モノクロでの画像読取が指示されない場合に比べて利用者の作業負荷が軽減する。
請求項６に係る情報処理システムによれば、マーカーマスキングサービスが利用される場合において、カラーでの画像読取が指示されない場合に比べて利用者の作業負荷が軽減する。
請求項７に係る情報処理システムによれば、図書管理サービスにおいて、地肌除去処理が指示されない場合に比べて利用者の作業負荷が軽減する。
請求項８に係る情報処理システムによれば、図書管理サービスにおいて、歪み補正処理が指示されない場合に比べて利用者の作業負荷が軽減する。
請求項９に係る情報処理システムによれば、マーカーマスキングサービスにおいて、モノクロ出力が指示されない場合に比べて利用者の作業負荷が軽減する。
請求項１０に係る情報処理システムによれば、図書管理サービス又は配送監視サービスにおいて、サイズ検知に失敗した際にサイズを指定するための画面を表示する場合に比べて、利用者の作業負荷が軽減する。
請求項１１に係るプログラムによれば、予め定められたサービスが選択された場合に、画像読取に関する予め定められた設定に従った画像読取を画像読取手段に指示しない場合と比べて、利用者の作業負荷が軽減する。
【図面の簡単な説明】
【００１６】
【図１】本発明の実施形態に係る情報処理システムの構成を示すブロック図である。
【図２】同実施形態に係る画像処理装置の構成を示すブロック図である。
【図３】同実施形態に係るサーバ装置の構成を示すブロック図である。
【図４】サーバ装置が記憶しているデータの一例を示す図である。
【図５】図書の外観を示す図である。
【図６】雑誌と利用者カードの外観を示す図である。
【図７】情報処理システムの機能構成を示す図である。
【図８】画像処理装置に表示される画面の一例を示す図である。
【図９】画像処理装置に表示される画面の一例を示す図である。
【図１０】図書管理サービスにおけるサーバ装置の基本的な動作を示すフロー図である。
【図１１】画像処理装置に表示される画面の一例を示す図である。
【図１２】画像処理装置に表示される画面の一例を示す図である。
【図１３】原稿の一例を示す図である。
【発明を実施するための形態】
【００１７】
１．構成
図１は、本発明の実施形態に係る情報処理システム１０００の構成を示すブロック図である。情報処理システム１０００は、図書管理サービス、社内メール配信サービス、マーカーマスキングサービスなどの各種のサービスを利用者に提供するシステムである。図書管理サービスは、本の管理を行うサービスである。社内メール配信サービスは、社内メールを配信するサービスである。社内メール配信サービスは、画像などのデータを配送する際に配送状況を監視する配送監視サービスを含む。マーカーマスキングサービスは、予め定められた色の領域をマスキングするサービスである。
【００１８】
情報処理システム１０００は、例えば図書館やオフィスビルなどの建物内に設置された画像処理装置１００と、例えば図書館の管理者又は社内の管理者が運営するサーバ装置２００と、例えば国立国会図書館や書誌情報提供サイトの運営者が管理する書誌情報記憶装置３００と、これらの装置１００〜３００を接続するネットワーク４００とを備える。画像処理装置１００は、画像読取機能と画像形成機能を備えた装置である。サーバ装置２００は、画像処理装置１００によって読み取られた画像を解析する。図書管理サービスが利用される場合、サーバ装置２００は書誌情報記憶装置３００から書誌情報を取得するなどして、本の管理に関する処理を実行する。本の管理に関する処理には、サーバ装置２００内のデータベースに本を登録／削除する処理、本を貸し出すためにデータベースを更新する処理、又は、貸し出した本の返却のためにデータベースを更新する処理の少なくともいずれかが含まれる。社内メール配信サービスが利用される場合、サーバ装置２００は読み取られた画像を社内メールで配信する。また、社内メール配信サービスが利用される場合、サーバ装置２００は読み取られた画像を配送する際の配送状況を監視する。マーカーマキングサービスが利用される場合、サーバ装置２００は読み取られた画像を解析し、マーカーにより塗りつぶされた領域をマスキングする。
【００１９】
書誌情報記憶装置３００は、図書管理サービスが提供される際に利用される。書誌情報記憶装置３００は膨大な数の本の書誌情報を記憶しており、これら書誌情報をネットワーク４００経由で提供する、Ｗｅｂサーバ装置である。ネットワーク４００は、ＬＡＮ（Local Area Network）、イントラネット、ＶＰＮ（Virtual Private Network）、インターネットなどの各種ネットワークを含んでいる。
【００２０】
画像処理装置１００と、サーバ装置２００と、書誌情報記憶装置３００のそれぞれの数は、図１の例示に限定されない。なお、サーバ装置２００の機能はいずれかの画像処理装置１００によって実装されてもよいし、いずれかの画像処理装置１００にフロントエンド装置として接続された情報処理装置１１０によって実装されてもよい。また、サーバ装置２００の機能を複数のサーバ装置に分散し、各々のサーバ装置が連携してサーバ装置２００と同等の機能を実現するようにしてもよい。例えば、提供されるサービス毎にサーバ装置が設けられもよい。また、サーバ装置２００の機能はいわゆるクラウドサービスとして提供されてもよい。また、書誌情報記憶装置３００以外の構成（画像処理装置１００、サーバ装置２００、情報処理装置１１０）が一つの装置内に実装されてもよい。
【００２１】
図２は、画像処理装置１００の構成を示すブロック図である。画像処理装置１００は、制御部１０１と、記憶部１０２と、画像形成部１０３と、画像読取部１０４と、通信部１０５と、ＵＩ（User Interface）部１０６を備える。制御部１０１は、画像処理装置１００の各部を制御する手段であり、例えばＡＳＩＣ（Application Specific Integrated Circuit）やＣＰＵ（Central Processing Unit）などの制御回路と各種メモリによって構成されている。記憶部１０２は、例えばハードディスクなどの記憶手段であり、ＣＰＵによって実行されるプログラムや当該プログラムの実行に伴って用いられるデータを記憶する。画像形成部１０３は、例えば電子写真方式で画像を媒体に形成する手段であり、レーザ
ービームを感光体などの像保持体に照射して潜像を形成し、これをＹ（イエロー）、M（マゼンタ）、C（シアン）、K（ブラック）の各色のトナーで現像して記録シートなどの媒体に転写し、定着処理を経てからその媒体を排出する。
【００２２】
画像読取部１０４は、原稿上の画像を光学的に読み取って画像データを生成する手段である。画像読取部１０４は、原稿が設置されるプラテンガラスを備え、プラテンガラスに設置された原稿のサイズを認識し、認識したサイズの画像データを生成する。通信部１０５は、データを送受信する手段であり、ネットワーク４００を介してサーバ装置２００と通信を行う。ＵＩ部１０６は、利用者に対する対話を実現する手段であり、例えばキーやタッチセンサなどの操作子を備え利用者の操作に応じた操作信号を制御部１０１に供給す操作部と、例えば液晶パネルや液晶駆動回路を備え制御部１０１による制御の下で画像
を表示する表示部を備えている。
【００２３】
記憶部１０２には、画像読取に関する機能毎の設定値が記憶されている。具体的には、例えば、画像読取の際に地肌除去処理を行うか否かを示す設定値、歪み補正を行うか否かの設定値、画像読取をカラーで行うかモノクロで行うかの設定値、読み取った画像データの出力をカラーで行うかモノクロで行うかの設定値、などが記憶されている。地肌除去処理は、原稿画像の地肌を除去する処理である。歪み補正は、読取処理による原稿画像の歪みを補正する処理である。例えば、地肌除去機能の設定値には「ＯＮ」又は「ＯＦＦ」が設定される。地肌除去機能の設定値が「ＯＮ」である場合、制御部１０１は読み取られた画像データに対して地肌除去処理を施す。一方、この設定値が「ＯＦＦ」である場合、制御部１０１は地肌除去処理を行わない。
【００２４】
これらの設定値は、画像処理装置１００の利用者がＵＩ部１０６を用いて設定可能となっている。画像処理装置１００の制御部１０１は、記憶部１０２に記憶された機能毎の設定値に従った画像処理を行う（又は画像読取部１０４に指示する）。例えば、地肌除去処理の設定値が「ＯＮ」である場合、制御部１０１は、画像読取部１０４で読み取られた画像データに対して地肌除去処理を施す。また、画像読取をカラーで行うかモノクロで行うかの設定値が「カラー」に設定されている場合、制御部１０１は、画像読取部１０４にカーでの画像読取を指示する。
【００２５】
図３は、サーバ装置２００のハードウェア構成を示すブロック図である。サーバ装置２００は、制御部２１０と、記憶部２２０と、通信部２３０とを備えている。制御部２１０は、サーバ装置２００の各部の動作を制御する手段である。制御部２１０は、ＣＰＵなどの制御回路と各種メモリによって構成されており、プログラムを実行することによりサーバ装置２００の各部の動作を制御する。記憶部２２０は、サーバ装置２００で使用されるデータを記憶する手段である。記憶部２２０は、例えばハードディスクであり、制御部２１０が実行するプログラムや、当該プログラムの実行に伴って用いられるデータを記憶する。ここでは、記憶部２２０は、図書ＤＢ（Data Base）２２１と雑誌ＤＢ２２２と分類テーブル２２３と利用者ＤＢ２２４とを記憶している。通信部２３０は、データを送受信する手段であり、ネットワーク４００を介して画像処理装置１００や書誌情報記憶装置３００と通信を行う。
【００２６】
図４は、図書ＤＢ２２１、雑誌ＤＢ２２２及び分類テーブル２２３の内容の一部を例示する図である。図書ＤＢ２２１、雑誌ＤＢ２２２及び分類テーブル２２３は図書管理サービスで参照される。図書管理サービスで管理される本は、図書と雑誌とに大別される。図書は、１人又は複数の著者や編者によって書かれた１冊完結の出版形態をとる本であるが、シリーズで出版される大系・全書なども含む。これに対し、雑誌は、同じタイトルで定期的に継続して発行される本であり、ボリューム(叢書)、巻号、パート、通号などが付与されている。図書にはＩＳＢＮ（例えば10桁又は13桁）、雑誌にはＩＳＳＮ（例えば8桁又は13桁）という国際標準番号が付与される。
【００２７】
図書ＤＢ２２１において、管理番号は、図書館に所蔵されている図書の１冊１冊を識別する識別情報である。タイトルは図書のタイトルである。同じタイトルの図書が複数ある場合には、それぞれ異なる管理番号が付与される。ＩＳＢＮは、図書に付与された国際標準番号である。図書分類コードは、図書の主題や内容に基づく標準的な分類であり、日本では日本十進法分類（ＮＤＣ９）と呼ばれるものが知られている。請求記号（１）は、それぞれの図書館で使用する図書の分類である。請求記号（１）として、上記の日本十進法分類や、図書館が独自に定めた分類が利用される。一般に図書館においては各図書の配架場所や本棚での並び順を図書の分類ごとに定めるため、この請求記号（１）により、図書館における各図書の配架場所や本棚での並び順が特定される。請求記号（３）は、シリーズで出版される大系・全書における各図書の巻数や発行年などの分類である。請求記号（３）は、請求記号（１）内での連番であり、同一タイトルの場合には同一番号が採番されるのが一般的である。貸出フラグは、図書が貸し出し中か否かを示すフラグである。貸出日は、図書が貸し出し中の場合のその貸出日である。利用者ＩＤは、図書が貸し出し中の場合のその図書を借りた利用者の識別情報である。
【００２８】
雑誌ＤＢ２２２に含まれる各データは、上記において説明した図書ＤＢ２２１における「図書」を「雑誌」と読み替えて理解すればよい。なお、雑誌ＤＢには、その雑誌の発行日からの貸し出しが許可されない期間である禁帯出期間が含まれる。
【００２９】
分類テーブル２２３は、標準的な図書の分類である図書分類コードと、図書館独自の図書の分類である請求記号（１）との対応関係を示したものである。この分類テーブルにより、ＮＤＣ９などの標準的な図書分類コードを、図書館で用いられる請求記号（１）に変換することが可能になる。利用者ＤＢ２２４は、利用者に割り当てられた利用者ＩＤやその利用者の属性などを含むデータベースである。
【００３０】
図５は、本の外観の一例を示す平面図である。図５の例においては、本の表紙１には、管理番号を示す管理バーコード１１が貼付される。管理バーコード１１は、前述したとお、本の１冊１冊を識別可能な識別情報である。さらに、図書の場合には、管理番号を例
えば「YB000123」とし、雑誌の場合には管理番号を例えば「YM0000123」とするといったように、図書を意味する「YB」という識別子と雑誌を意味する「YM」という識別子を管理番号の一部として用いることにより、管理番号に基づいて図書／雑誌を識別可能としてもよい。また、この例では管理バーコード１１を表紙１に貼付しているが、裏表紙２や背表紙３に貼付してもよい。
【００３１】
本の裏表紙２には、本に付与されたＩＳＢＮを意味するＩＳＢＮバーコード２１又はＩＳＮを意味するＩＳＳＮバーコード２１と、本の価格を示す価格バーコード２２とが印刷ないし貼付されている。背表紙３にはラベル３１が貼付されている。このラベルは三段構成の表示になっており、その最上段には 請求記号（１）が記され、その最下段には請記号（３）が記される。
【００３２】
雑誌の場合には、禁帯出期間を意味する禁帯出ラベル１２が雑誌の表紙１などに貼付される（図６参照）。本の貸し出しは、図６に示した利用者カード４を所持する利用者に対してのみ行われる。利用者カード４には、各利用者を識別するための利用者ＩＤを示す利用者ＩＤバーコード４１が印刷ないし貼付されている。なお、上記の各種情報を表現するときの形式はバーコードである必要はなく、それぞれ情報が符号化されたコードであればよい。
【００３３】
図６は雑誌と利用者カードの外観の一例を示す平面図である。雑誌の場合には、図示のように、禁帯出期間を意味する禁帯出ラベル１２が雑誌の表紙１などに貼付される。本のし出しは、図６に示した利用者カード４を所持する利用者に対してのみ行われる。利用者カード４には、各利用者を識別するための利用者ＩＤを示す利用者ＩＤバーコード４１が印刷ないし貼付されている。なお、上記の各種情報を表現するときの形式はバーコードである必要はなく、それぞれ情報が符号化されたコードであればよい。
【００３４】
図７は、情報処理システム１０００の機能構成を示す図である。画像処理装置１００は、画像読取手段１５１を備える。画像読取手段１５１は、画像読取に関する機能毎の設定値に従った処理内容で画像読取処理を実行する。サーバ装置２００は、選択手段２５１と、指示手段２５２と、実行手段２５３とを備える。選択手段２５１は、情報処理システム１０００によって提供される複数のサービスのうちのいずれかを選択する。指示手段２５２は、選択手段に２５１よって予め定められたサービスが選択された場合、画像読取に関する予め定められた設定に従った画像読取を画像読取手段１５１に指示する。実行手段２５３は、画像読取手段１５１による処理結果を用いて、選択手段２５１によって選択されたサービスに対応する処理を実行する。選択手段２５１、指示手段２５２及び実行手段２５３は、制御部２１０のソフトウェア処理によって実現される。制御部１０１及び画像読取部１０４は、画像読取手段１５１の一例である。
【００３５】
２．動作
２−１．サービス選択動作
図８は、画像処理装置１００のＵＩ部１０６に表示される画面の一例を示す図である。図８に示すサービス選択画面Ｇ２０において、利用者は所望のサービスを選択する。利用者がいずれかのサービスを選択すると、画像処理装置１００の制御部１０１は、ＵＩ部１０６から出力される情報に従ってサービスを選択する。「一般機能」「図書管理」「社内メール配信」「マーカーマスキング」というサービスが記されたソフトボタンのうち、「図書管理」「社内メール配信」のソフトボタンにはそれぞれＵＲＬ（Uniform Resource Locator）が関連付けられている。利用者が「図書管理」「社内メール配信」「マーカーマスキング」というサービスのいずれかを選択すると、画像処理装置１００の制御部１０１は、選択されたサービスに関連付けられたＵＲＬに対してＨＴＴＰ（Hyper Text Transfer Protocol）要求を送信する。
【００３６】
２−２．一般機能が選択された場合の動作
一方、図８に示すサービス選択画面Ｇ２０において「一般機能」が選択された場合、制御部１０１は、コピー、スキャン、ファクシミリなどの選択肢が列挙されたメニュー画面を表示するためのデータを記憶部１０２から読み出して、その画面をＵＩ部１０６に表示する。利用者は表示されるメニュー画面において所望の処理を選択する。制御部１０１は、ＵＩ部１０６から出力される情報に応じて、利用者によって選択された処理（コピー、スキャン、ファクシミリ、など）を実行する。
【００３７】
例えばメニュー画面において「スキャン」が選択された場合、制御部１０１は、画像読取に関する機能（モノクロ読取／カラー読取、など）の設定画面を表示する。利用者は、ＵＩ部１０６を用いて各種の設定を行う。制御部１０１は、ＵＩ部１０６から出力される報に従って機能毎の設定値を変更する。一方、利用者は、設定を変更しない場合、そのまま「スタート」ボタンを選択してスキャン処理を指示する。「スタート」ボタンが選択されると、制御部１０１は変更された設定値に従った処理内容で画像処理を行う。なお、設定値が変更されなかった場合、制御部１０１はデフォルトの設定値に従った画像処理を行う。例えば、画像読取をカラーで行うかモノクロで行うかの設定値が「カラー」である場合、制御部１０１は、カラーでの画像読取を画像読取部１０４に指示する。また、例えば、「地肌除去機能」や「歪み補正」の設定値がともに「ＯＮ」である場合、制御部１０１は、地肌除去処理や歪み補正処理を画像読取部１０４に指示する。
【００３８】
また、この例で、画像処理装置１００は、プラテンガラスに設置された媒体のサイズを検知する機能を備えており、画像読取が指示された際に媒体のサイズ検知を行うように予め設定されている。画像読取を行う際、画像読取部１０４は、プラテンガラスに設置された媒体のサイズを検知し、検知したサイズで画像読取を行う。利用者は、媒体のサイズを認識させるために、画像読取部１０４のプラテンガラスの予め定められた箇所（例えば、左上端）に媒体の端部を合わせて媒体を設置する必要がある。ここで、例えば本や封筒など、予め設定された定型サイズとは異なるサイズの媒体が読取対象である場合や、媒体が正しい位置に設置されていない場合、画像処理装置１００がサイズ検知に失敗する場合がある。媒体のサイズ検知に失敗した場合、制御部１０１は、サイズ検知に失敗した旨をＵＩ部１０６の表示部に表示するとともに、サイズの指定を利用者に促す画面を表示部に表示する。
【００３９】
図８の画面Ｇ２１は、サイズ検知に失敗した場合にＵＩ部１０６に表示される画面の一例を示す図である。図示のように、制御部１０１は、例えば「原稿のサイズが検知できませんでした。読取サイズを選択してください」といったメッセージとともに、サイズを選択するためのメニューをＵＩ部１０６に表示する。画面Ｇ２１が表示されている状態において利用者がＵＩ部１０６を用いてサイズを指定すると、制御部１０１は指定されたサイズでの画像読取を画像読取部１０４に指示する。このように、「一般機能」のサービスが選択された場合、制御部１０１は画像読取に関する機能毎の設定値に従った処理内容で画像処理を実行する。
【００４０】
２−３．図書管理サービスが選択された場合の動作
図８に示すサービス選択画面Ｇ２０において「図書管理」が選択された場合、制御部１０１はこのソフトボタンに関連付けられたＵＲＬに対してＨＴＴＰ要求を送信する。この例で、このＵＲＬはサーバ装置２００のＵＲＬである。サーバ装置２００の制御部２１０は、このＨＴＴＰ要求を受け取ることで、サービスの選択を受け付ける。そして、制御部２１０は、ＨＴＴＰ要求に応じた操作画面データを記憶部２２０から読み出して画像処理装置１００に送信する。画像処理装置１００の制御部１０１は受信した操作画面データに応じた操作画面をＵＩ部１０６に表示する。
【００４１】
図９は、画像処理装置１００のＵＩ部１０６に表示される画面の一例を示す図である。図９に示す処理選択画面Ｇ１において、利用者が所望の処理を選択する。図９に示す「本を借りる」「本を返す」「文献複写」「本を登録する」という処理が記されたソフトボタンのうち、「本を借りる」「本を返す」「本を登録する」のソフトボタンにはそれぞれＵＲＬが関連付けられている。利用者がこれらの「本を借りる」「本を返す」「本を登録する」という処理のいずれかを選択すると、画像処理装置１００の制御部１０１は、選択された処理に関連付けられたＵＲＬに対してＨＴＴＰ要求を送信する。一方、利用者によって「文献複写」が選択された場合、画像処理装置１００の制御部１０１は、いわゆるコピーを行うための画面データを記憶部１０２から読み出して、そのデータに応じた画面をＵＩ部１０６に表示する。なお、上述の処理の全てを、全ての利用者に提供しなくてもよい。すなわち、全ての処理のうち幾つかの処理は全ての利用者に提供し、その他の処理は、特定の利用者にのみ提供するようにしてもよい。その際には、処理画面Ｇ１を表示する前に利用者の認証を行い、認証された利用者が利用できる処理が表示された処理画面Ｇ１表示する方法や、最初は全ての利用者が利用できる処理が表示された処理画面Ｇ１を表示しておき、認証をして後に認証された利用者が利用可能な処理を表示する方法が考えられる。通常の利用者と特定の利用者とで表示画面自体を変更してもよい。例えば、「本を登録する」という処理は、司書のみに提供されるようにすることができる。通常の利用者用の処理画面Ｇ１には「本を登録する」を表示しないようにするとともに、司書用のログイン画面Ｇ２においてＩＤ及びパスワードなどによる認証成功後に、制御部１０１が司書専用の処理選択画面を表示するためのデータを記憶部１０２から読み出して、「本を登録する」と表記されたソフトボタンを含む画面をＵＩ部１０６に表示する。
【００４２】
図１０は図書管理サービスにおけるサーバ装置の基本的な動作を示すフロー図である。ここでは、画像処理装置１００において利用者が「本を借りる」「本を返す」「本を登録する」のいずれかを選択する操作を行った場合を例に挙げて説明する。この場合、画像処理装置１００の制御部１０１は、選択された処理に対応付けられたＵＲＬに対しＨＴＴＰ要求を送信する。この例では、これらの処理はすべてサーバ装置２００で行われるので、このＵＲＬは、サーバ装置２００のＵＲＬである。サーバ装置２００の制御部２１０は、のＨＴＴＰ要求を受け取ることで、処理の選択を受け付ける（ステップＳ１０１）。そして、制御部２１０は、ＨＴＴＰ要求に応じた操作画面データを記憶部２２０から読み出して画像処理装置１００に送信する（ステップＳ１０２）。
【００４３】
画像処理装置１００の制御部１０１は受信した操作画面データに応じた操作画面をＵＩ部１０６に表示する。例えば、図書館が新規に入手した本の登録を行う場合には登録画面Ｇ３（図９）がＵＩ部１０６に表示される。
【００４４】
図１１及び図１２は画像処理装置１００のＵＩ部１０６に表示される他の画面の一例を示す図である。図書館が本を貸し出す（利用者が本を借りる）場合には貸出処理画面Ｇ５図１１）がＵＩ部１０６に表示され、利用者が本を返却する場合には返却処理画面Ｇ６（図１１）がＵＩ部１０６に表示される。
【００４５】
本を登録する場合、利用者は、画像処理装置１００の画像読取部１０４に、本のＩＳＢバーコード２１が印刷された裏表紙２をセットし、さらに、登録画面Ｇ３に設けられた入力欄に必要な情報を入力して、「ＯＫ」と表記されたソフトボタン（以下、ＯＫボタンという）を選択する。これにより、登録画面においてＨＴＭＬ（Hyper Text Markup Language）のＦＯＲＭタグによって関連付けられたＵＲＬに対し、ＯＫボタンの識別子、その値情報、及び入力欄に入力された情報が送信される。
【００４６】
また、本の貸出又は返却の場合、利用者は画像処理装置１００の画像読取部１０４が備えるプラテンガラスの上に、管理バーコード１１が貼付された本の表紙１と、自身の利用者カード４の利用者ＩＤバーコードが印刷された面をセットし、貸出処理画面Ｇ５又は返却処理画面Ｇ６におけるＯＫボタンを選択する。これにより、画像読取部１０４がプラテンガラス上の１冊の本から１回のスキャンで複数のコードを読み取ることになる。このとき、複数の本を同時にプラテンガラスの上においてこれらの本から一度のスキャンでコードを読み取ってもよいし、また、利用者カードを合わせてプラテンガラスの上においてこの利用者コードからコードを読み取ってもよい。これらの画面においてＨＴＭＬのＦＯＲＭタグによって関連付けられたＵＲＬに対し、ＯＫボタンの識別子及びその値情報が送信される。
【００４７】
登録画面Ｇ３、貸出処理画面Ｇ５及び返却処理画面Ｇ６において、画像読取に関する各種機能の設定を利用者が行うための設定ボタンが表示されてもよい。この場合、利用者がこの設定ボタンを選択して各種の設定を変更すると、変更した内容を示す情報が、ＯＫボタンの識別子及びその値情報とともに送信される。このとき、制御部１０１は、モノクロ読取／カラー読取の設定値や、地肌除去機能の設定値、歪み補正の設定値に対する利用者からの変更指示を受け付けないようにしてもよい。すなわち、制御部１０１は、画像読取に関する予め定められた設定に関しては、利用者による指示を受け付けないようにしてもよい。この場合、例えば、利用者がＯＫボタンを選択する前にＵＩ部１０６を用いて歪み補正機能の設定値を「ＯＦＦ」にしようとすると、制御部１０１が、「この設定は変更できません」といったメッセージをＵＩ部１０６に表示するとともに、設定の変更を行わないようにしてもよい。
【００４８】
サーバ装置２００の制御部２１０は、画像処理装置１００から送信されてくる情報を受け取ることで、処理の指示を受け付ける（ステップＳ１０３）。なお、画像処理装置１００に設けられたハードボタンが上記のソフトボタンと同じ指示を受け付けるようにしてもよい。又は、ＵＩ部１０６にソフトボタンを表示せずに、画像処理装置のハードボタンがソフトボタンの機能を代替してもよい。
【００４９】
サーバ装置２００の制御部２１０は、画像処理装置１００に対し、スキャン指示及び遷移先画面指定情報を送信する（ステップＳ１０４）。スキャン指示には、スキャンの解像度（例えば３００ｄｐｉ（dot/inch））、白黒／カラー、画像形式（例えばＴＩＦＦ形式）などのスキャン時のパラメータと、スキャン画像データの送信先を示すＵＲＬが含まれる。遷移先画面指定情報は、画面データの格納先を意味するＵＲＬなどのパス情報である。
【００５０】
この例で、サーバ装置２００の制御部２１０は、このスキャン指示に、読取対象である媒体のサイズの検知処理を行わずに予め定められたサイズ（プラテンガラス全体、Ａ３サイズ、など）で画像読取を行う旨を示すパラメータ、モノクロ（白黒）での画像読取を行う旨を示すパラメータ、地肌除去処理を指示する旨を示すパラメータ、及び歪み補正を行う旨を指示するパラメータとを含める。すなわち、制御部２１０は、画像読取処理においてサイズ検知処理を行わない旨を画像処理装置１００に指示するとともに、モノクロでの画像読取、地肌除去処理、及び歪み補正処理を行う旨を画像処理装置１００に指示する。
【００５１】
画像処理装置１００の制御部１０１は、受信したスキャン指示に含まれるパラメータに従って、画像読取部１０４に画像を読み取らせてスキャン画像データを生成する。この例で、制御部１０１は、受信したスキャン指示に含まれるパラメータに従って、プラテンガラスに設置された媒体のサイズ検知を行うことなく、予め定められたサイズでのモノクロでの画像読取を画像読取部１０４に行わせる。また、制御部１０１は、画像読取部１０４を制御して地肌除去処理及び歪み補正処理を行う。具体的には、制御部１０１は、画像読取部１０４を制御して、プレスキャンを行って地肌の濃度などを確認し、確認された濃度に応じたパラメータで画像読取を行う。また、歪み補正としては、例えば、本の表紙の表面色と異なる色合いの背景シートを用いることによって制御部１０１が本の外形エッジを認識し、認識結果に応じて歪み補正を行う。このように、「図書管理」サービスが選択された場合、制御部１０１は、利用者によって設定値の変更を指示されていない場合であっても、モノクロでの画像読取を画像読取部１０４に指示するとともに、画像読取部１０４を制御して地肌除去処理や歪み補正処理を行う。
【００５２】
制御部１０１は、生成されたスキャン画像データを指定された送信先に送信する。制御部１０１は、必要に応じて、スキャン画像データに、スキャン時のパラメータのほか、メタ情報（認証済のユーザ情報、画像処理装置のアドレスなど）を付加する。
【００５３】
サーバ装置２００の制御部２１０は、画像処理装置１００から送信されるスキャン画像データを受信する（ステップＳ１０５）。そして、制御部２１０は、スキャン画像データに含まれるバーコードによって特定される情報を取得する（ステップＳ１０６）。スキャン画像データに複数のバーコードが含まれている場合には、制御部２１０は、それぞれに対応した複数の情報を取得する。そして、制御部２１０は、取得した情報を用いて処理を実行することが可能か否かを判断し、処理を実行することが可能だと判断した場合には、取得した情報に基づいて処理を実行する（ステップＳ１０７）。
【００５４】
ステップＳ１０７においては、制御部２１０は、本の登録処理、貸出処理、返却処理、削除処理、などの処理を行う。具体的には、まず、制御部２１０は、スキャン画像データに含まれる１又は複数のバーコードを復号し、それぞれのバーコードから特定される１又複数の情報を取得する。制御部２１０は、これらの情報の中に、ＩＳＢＮやＩＳＳＮ、利用者ＩＤ、図書・雑誌の管理番号などの各種情報を示す文字列が含まれているかを判断る。各種情報の識別には、それぞれのプレフィクスで判別する方法が考えられる。また
、各情報の桁数や、いわゆるチェックデイジットを用いてもよい。
【００５５】
本の登録を行う場合、制御部２１０は、得られた各種情報を用いて書誌情報を特定し、管理番号を採番して図書ＤＢ２２１に新規レコードを追加し、必要な情報を登録する。また、本の貸出を行う場合、制御部２１０は、得られた利用者ＩＤと管理番号とを用いて、図書ＤＢ２２１に登録されている管理番号に対する貸出フラグ、利硫黄者ＩＤ及び貸出日を、貸出の内容に更新する。本の返却に関しては、貸出の時の同様の手順で、管理番号に対する貸出フラグ、利用者ＩＤ及び貸出日を、返却に応じた内容に更新すればよい。また、データベースにおける本の削除の場合、制御部２１０は、制御部２１０は、バーコードを復号して得られた管理番号を参照して図書であれば、図書ＤＢ２２１において上記管理番号に対応する情報を削除するし、管理番号を参照して雑誌であれば、雑誌ＤＢ２２２にいて上記管理番号に対応する情報を削除する。
【００５６】
また、ステップＳ１０５〜Ｓ１０７の間、画像処理装置１００の制御部１０１は、遷移先画面指定情報によって指定されたＵＲＬを指定して、サーバ装置２００に対して状態表示画面を要求する。サーバ装置２００の制御部２１０は、ステップＳ１０７の処理が完了していない場合は（ステップＳ１０９；Ｎｏ）、処理中画面データ（図９の処理中画面Ｇ４）を画像処理装置１００に送信する（ステップＳ１０８，Ｓ１１０）。また、制御部２１０は、ステップＳ１０７の処理が正常終了している場合は（ステップＳ１０９；Ｙｅｓ）、正常終了画面データ（図１１の処理結果画面Ｇ７，Ｇ８、図１２の処理結果画面Ｇ９）を、エラー終了している場合はエラー画面（図１２の処理結果画面Ｇ１０，Ｇ１１，Ｇ１２）を画像処理装置１００に送信する（ステップＳ１１１）。
【００５７】
ところで、通常のスキャン機能においては、原稿のサイズを認識させる必要があった。これは、スキャンしたデータを保存した際、後から保存されたデータをみて、利用者の意図しないサイズで保存されていた場合は再スキャンや編集等の手間がかかってしまう。ま、サイズが分かった上でそのサイズ情報を元に画像処理を行った方が、綺麗な画像が得られる、処理時間が早い、といった利点がある場合もある。よって結果として、画像読取の際にサイズ認識を正しくしていた方が、利用者にとって利便性が良かったためである。そのため、利用者は、画像読取部１０４のプラテンガラスの予め定められた箇所（例えば、左上端）に原稿の端部を合わせて原稿を設置する必要があった。原稿が正しく設置されていない場合、原稿のサイズが認識されない場合がある。また、原稿の端部がプラテンガラスの予め定められた箇所に合わせて設置されたとしても、原稿のサイズが非定型サイズである場合、サイズ認識ができない場合があった。特に、図書管理サービスで読取対象となる本のサイズは様々であり、このサービスにおいて本のサイズが認識されなかった場合、利用者はＵＩ部１０６を用いてサイズを指定する必要があり、その操作が煩雑である場合があった。
【００５８】
それに対しこの実施形態では、図書管理サービスが選択された場合、サイズ検知処理を行うことなく、スキャンサイズを予め定められたサイズ（例えば、プラテンガラス全体）とする。これにより、利用者がＵＩ部１０６を用いてその都度サイズを指定するといった煩雑な作業を行う必要がない。
【００５９】
また、本の表紙などをカラーの読み取った場合、色ずれがバーコードと誤認識されてしまう場合があるが、この実施形態では、図書管理サービスではモノクロで画像読取を行うことにより、バーコードの誤認識が軽減される。
【００６０】
また、本の表紙は地肌がある場合が多く、バーコードが認識され難い場合がある。また、利用者が本をプラテンガラスの上にセットする際に、本の設置のされ方によっては画像読取の際に歪みが生じてバーコードが認識されない場合がある。歪み補正機能は、処理時間がかかったり、実際そんなに歪みが気になるような原稿を読み込む場面は少ないため、通常は利用者が指定した場合にしか行わない設定になっていることが多く、設定の階層も深く設定が煩わしい場合がある。しかし、図書管理においては、歪み補正を行ったほうが後の処理の信頼性があがり、結果として時間短縮につながる場合がある。この実施形態では、地肌除去処理や歪み補正処理が施されることにより、バーコードの認識率が向上する。
上記例では、図書管理サービスとして、本の管理に関する処理を実行する例を説明したが、対象は本に限らず、バーコード等の識別情報と紐づいた物であればなんでもよい。但し、画像処理装置１００の画像読取部が固定式である場合は、コンパクトディスクやデジタルビデオディスク等固定式の画像読取部に識別情報が読み取れる状態で置きやすい物が適している。
【００６１】
上記例では、一般機能として「スキャン」との比較で説明したが、「コピー」が選択された場合でも、同様に原稿読取時にサイズ認識が正しい方が出力用紙のサイズ決定が利用者の意図したものと一致しやすい。このように画像処理装置１００は一般的な機能としてサイズ検知を正しくできるように機能設計されている。ここで、そのように機能設計された画像処理装置１００に対して、機能の適不適に関して知見の多い、利用者やサービスマンが独自に利用者の好みに応じてデフォルト機能を設定したりすることもできるが、その場合は特別な知見と手間が必要となってくる。
【００６２】
２−４．社内メール配信サービスが選択された場合の動作
図８に示すサービス選択画面Ｇ２０において、利用者によって「社内メール」のソフトボタンが選択された場合、制御部１０１はこのソフトボタンに関連付けられたＵＲＬに対してＨＴＴＰ要求を送信する。この例で、このＵＲＬはサーバ装置２００のＵＲＬである。サーバ装置２００の制御部２１０は、このＨＴＴＰ要求を受け取ることで、サービスの選択を受け付ける。そして、制御部２１０は、ＨＴＴＰ要求に応じた操作画面データを記憶部２２０から読み出して画像処理装置１００に送信する。画像処理装置１００の制御部１０１は受信した操作画面データに応じた操作画面をＵＩ部１０６に表示する。
【００６３】
この操作画面には、画像読取に関する各種機能（歪み補正、地肌除去、など）の設定を利用者が行うための設定ボタンが表示されてもよい。このとき、制御部１０１は、モノクロ読取／カラー読取の設定値に対する利用者からの変更指示を受け付けないようにしてもよい。この場合、例えば、利用者がＵＩ部１０６を用いて画像読取の設定値を「カラー」に変更しようとすると、制御部１０１が、「この設定は変更できません」といったメッセージをＵＩ部１０６に表示するとともに、設定値の変更を行わないようにしてもよい。
【００６４】
利用者は、メール送信を行いたい原稿（媒体）を画像読取部１０４にセットし、ＵＩ部１０６に表示された画面に設けられた入力欄に必要な情報（メールの送信先など）を入力してＯＫボタンを選択する。ＯＫボタンが選択されると、画像処理装置１００の制御部１０１は、ＯＫボタンの識別子、その値情報、及び入力欄に入力された情報をサーバ装置２００へ送信する。利用者によって画像読取に関する機能の設定内容が変更された場合、変更した内容を示す情報も、ＯＫボタンの識別子及びその値情報とともに送信される。
【００６５】
サーバ装置２００の制御部２１０は、画像処理装置１００に対し、スキャン指示及び遷移先画面指定情報を送信する。スキャン指示には、スキャンの解像度、白黒／カラー、画像形式（ＴＩＦＦ形式など）のスキャン時のパラメータと、スキャン画像データの送信先を示すＵＲＬが含まれる。制御部２１０は、このスキャン指示に、読取対象である媒体のサイズの検知処理を行わずに予め定められたサイズで画像読取を行う旨を示すパラメータと、モノクロ（白黒）での画像読取を行う旨を示すパラメータとを含める。画像読取のサイズとしては、例えば、社内メールのフォーマットが予め定められている場合、制御部１０１はそのフォーマットのサイズより少し大きい領域を画像読取の対象領域としてもよい。また、制御部１０１がプラテンガラスの表面全体を画像読取の対象領域としてもよい。このように、制御部２１０は、画像読取処理においてサイズ検知処理を行わない旨を画像処理装置１００に指示するとともに、モノクロでの画像読取を画像処理装置１００に指示する。
【００６６】
画像処理装置１００の制御部１０１は、受信したスキャン指示に含まれるパラメータに従って、画像読取部１０４に画像を読み取らせてスキャン画像データを生成する。この例で、制御部１０１は、受信したスキャン指示に含まれるパラメータに従って、プラテンガラスに設置された媒体のサイズ検知を行うことなく、予め定められたサイズでのモノクロでの画像読取を画像読取部１０４に行わせる。このように、「社内メール」サービスが選択された場合、制御部１０１は、モノクロ／カラーの設定値の変更が利用者によって指示されていない場合であっても、モノクロでの画像読取を画像読取部１０４に行わせる。
【００６７】
制御部１０１は、生成したスキャン画像データを指定された送信先に送信する。制御部１０１は、必要に応じて、スキャン画像データに、スキャン時のパラメータのほか、メタ情報（認証済のユーザ情報、画像処理装置のアドレスなど）を付加する。サーバ装置２００の制御部２１０は、画像処理装置１００から送信されるスキャン画像データを受信し、受信したスキャン画像データに対し必要な処理（ファイル形式の変換処理など）を行って、指定された送付先にメール送信する。
【００６８】
ところで、社内メール配信サービスの際に読み込まれる媒体は、予め設定された定型サイズとは異なるサイズ（例えば、封筒など）である場合があり、その場合、従来の装置では、画像処理装置１００がサイズ検知に失敗して利用者がＵＩ部１０６を用いて読取サイズを設定しなければならない場合があった。それに対しこの実施形態では、サイズ検知を行うことなく、スキャンサイズを予め定められたサイズとすることにより、利用者が煩雑な操作を行う必要がない。
【００６９】
２−５．マーカーマスキングサービスが選択された場合の動作
図８に示すサービス選択画面Ｇ２０において、利用者によって「マーカーマスキング」のソフトボタンが選択された場合、制御部１０１はこのソフトボタンに関連付けられたＵＲＬに対してＨＴＴＰ要求を送信する。この例で、このＵＲＬはサーバ装置２００のＵＲＬである。サーバ装置２００の制御部２１０は、このＨＴＴＰ要求を受け取ることで、サービスの選択を受け付ける。そして、制御部２１０は、ＨＴＴＰ要求に応じた操作画面データを記憶部２２０から読み出して画像処理装置１００に送信する。画像処理装置１００の制御部１０１は受信した操作画面データに応じた操作画面をＵＩ部１０６に表示する。
【００７０】
この操作画面には、画像読取に関する各種機能（歪み補正、地肌除去、など）の設定を利用者が行うための設定ボタンが表示されてもよい。このとき、制御部１０１は、モノクロ読取／カラー読取の設定値や、モノクロ（又は、モノクロ及び赤）出力／カラー出力の設定値に対する利用者からの変更指示を受け付けないようにしてもよい。この場合、例えば、利用者がＵＩ部１０６を用いて画像読取の設定値を「モノクロ（又は、モノクロ及び赤）」に変更しようとすると、制御部１０１が、「この設定は変更できません」といったメッセージをＵＩ部１０６に表示するとともに、設定値の変更を行わないようにしてもよい。
【００７１】
利用者は、マーカーマスキングを行いたい原稿（媒体）を画像読取部１０４にセットし、ＵＩ部１０６に表示された画面に設けられたＯＫボタンを選択する。この原稿は、マスキングを行いたい領域が利用者によって予め定められたマーカーペンで着色されている。
【００７２】
図１３は、原稿の一例を示す図である。図示のように、原稿Ａ１は、その一部の領域ａ１１、ａ１２、…が、予め定められたマーカーペンで着色されている。原稿が画像読取部１０４にセットされ、ＵＩ部１０６に表示された画面においてＯＫボタンが選択されると、画像処理装置１００の制御部１０１は、ＯＫボタンの識別子、その値情報、及び入力欄に入力された情報をサーバ装置２００へ送信する。利用者によって画像読取に関する機能の設定内容が変更された場合、変更した内容を示す情報も、ＯＫボタンの識別子及びその値情報とともに送信される。
【００７３】
サーバ装置２００の制御部２１０は、画像処理装置１００に対し、スキャン指示及び遷移先画面指定情報を送信する。スキャン指示には、スキャンの解像度、白黒／カラー、画像形式（ＴＩＦＦ形式など）のスキャン時のパラメータと、スキャン画像データの送信先を示すＵＲＬが含まれる。制御部２１０は、このスキャン指示に、カラーでの画像読取を行う旨を示すパラメータと、モノクロ（又は、モノクロ及び赤）での出力を示すパラメータとを含める。
【００７４】
画像処理装置１００の制御部１０１は、受信したスキャン指示に含まれるパラメータに従って、画像読取部１０４に画像を読み取らせて画像データを生成する。この例で、制御部１０１は、受信したスキャン指示に含まれるパラメータに従って、カラーでの画像読取を画像読取部１０４に行わせ、生成したスキャン画像データを指定された送付先に送信する。制御部１０１は、必要に応じて、スキャン画像データに、スキャン時のパラメータのほか、メタ情報（認証済のユーザ情報、画像処理装置のアドレスなど）を付加する。
【００７５】
サーバ装置２００の制御部２１０は、画像処理装置１００から送信されるスキャン画像データを受信し、受信したスキャン画像データを解析する。制御部２１０は、解析結果に応じて、予め定められた色の領域をマスキングする処理を行い、処理結果を示す画像データを画像処理装置１００に送信する。画像処理装置１００は、サーバ装置２００から画像データを受信すると、受信した画像データをモノクロ（又は、モノクロ及び赤）で画像形成部１０３に出力させる。このように、「マーカーマスキング」サービスが選択された場合、制御部１０１は、利用者によって画像読取や画像出力の設定値の変更が指示されたか否かに関わらず、カラーでの画像読取を画像読取部１０４に行わせるとともに、モノクロ（又は、モノクロ及び赤）での画像形成を画像形成部１０３に行わせる。
【００７６】
図１３の原稿Ａ２は、画像処理装置１００によってマーカーマスキング処理が行われた結果の一例を示す図である。図示のように、領域ａ２１、ａ２２、…がマスキングされて出力される。
【００７７】
ところで、予め定められた色で着色された領域を検出する処理において、モノクロで画像読取が行われていた場合、着色された領域が認識されない場合がある。そのため、マーカーマスキングを行う際は、画像読取をカラーで行う必要がある。しかし、マーカーマスキングの処理結果はモノクロ（又は、モノクロ及び赤）で出力されるため、従来の装置では、利用者は誤ってモノクロ読取を設定してしまう場合がある。それに対しこの実施形態では、マーカーマスキングサービスが選択された場合はカラー読取を行うため、マークの認識率が低下することがない。
【００７８】
３．変形例
上述した実施形態は、本発明の実施の一例に過ぎず、以下のように変形させてもよい。また、上述した実施形態及び以下に示す各変形例は、必要に応じて組み合わせて実施して
もよい。
【００７９】
上述の図１０のフローにおける処理の主体は上述の実施形態において例示したものに限定されない。例えば、ステップＳ１０３及びステップＳ１０４の処理を、サーバ装置２００でなく画像処理装置１００が行ってもよい。
【００８０】
上述の図書管理サービスでは、プラテンガラス全体を読取対象としたが、画像処理装置１００が媒体を読み取る方法はこれに限られない。例えば、画像処理装置１００は、媒体全体を読み取るのではなく、媒体に貼付されたバーコードの部分を読み取るようにしてもよい。この場合、例えば、画像処理装置１００の画像読取部１０４が、プレスキャンを行ってバーコードの領域を特定し、特定した領域の画像をスキャン画像データとして生成し
てもよい。
【００８１】
上述の実施形態において、バーコードの位置や方向を特定する情報を、プラテンガラス又は本に付与してもよい。例えば、バーコードの位置や方向を特定する情報として、バーコードを覆う矩形枠の画像を用いてもよい。この場合、サーバ装置２００の制御部２１０は、画像処理装置１００から送信されてくるスキャン画像データを解析し、予め定められたサイズの矩形枠で覆われた領域をバーコードの領域であると特定する。制御部２１０は、特定した領域からバーコードによって特定される情報を取得する。この構成によれば、矩形枠が無い場合に比べて、バーコードの位置や方向の特定が容易になる。
【００８２】
また、バーコードの位置や方向を特定する情報の他の例として、例えば、本又はプラテンガラスの予め定められた位置（例えば、プラテンガラスの左上端）に、バーコードの位置及び／又は方向を示す情報（例えば、ＱＲコード(登録商標))を付与してもよい。この場合、サーバ装置２００の制御部２１０は、画像処理装置１００から送信されてくるスキ
ャン画像データを解析し、スキャン画像データに含まれる、位置及び／又は方向を示す情報に基づいてバーコードの画像上における位置を特定し、特定した位置からバーコードによって特定される情報を取得する。この構成によれば、バーコードの位置や方向の特定が容易になる。バーコードの本の中での位置は本の中でだいたい一定しているので、優先的にその領域にバーコードを探しに行くようにしてもよい。その方法は、例えば、前のスキャンでバーコードがあった領域を優先的に探してもよい。また、本の外形をプレスキャンで把握してからその外形ならこの領域にあるだろうという候補の位置を優先的に探してもよい。この場合候補の決め方は例えば長方形ならその対角線上の２か所としてもよい。また、バーコードがなるべく原稿を置く位置の基準点となる場所、例えばプラテンガラスの左の奥等の近くになるように、本を置くように指定しておいて、そのプラテンガラスの左の奥の位置に近い領域を優先的に探すようにしてもよい。
【００８３】
上述の実施形態では、図書管理サービス及び社内メール配信サービスにおいて、画像処理装置１００は媒体のサイズ検知を行うことなく、予め定められた読取サイズで画像読取を行った。これに代えて、図書管理サービス及び社内メール配信サービスにおいて画像処理装置１００が媒体のサイズ検知を行ってもよい。この場合、画像処理装置１００の制御部１０１は、媒体のサイズ検知に失敗した場合、利用者にサイズの指定を行わせるための画面を表示することなく、予め定められたサイズで画像読取を行う。
上述の実施形態では、ネットワークに接続されたサービスを例示したが、これに限らず、画像処理装置１００が単体で、サービスを提供しても良い。例えば本の登録作業は行わず、本の貸し借りのみを、装置内にあるメモリに保存されたデータを用いて、管理しても良い。
【００８４】
上述の実施形態では、利用者によって選択されるサービスとして、「一般機能」、「図書管理」、「社内メール配信」、「マーカーマスキング」を例示したが、利用者によって選択されるサービスはこれらに限られない。例えばストレージサービスなどの他のサービスが画像処理装置１００を含むシステムにより提供されてもよい。
【００８５】
本発明は、コンピュータを情報処理装置として機能させるためのプログラムや、係るプログラムを記録した記録媒体の形態でも提供され得る。また、本発明に係るプログラムは、インターネットなどのネットワークを介してコンピュータにダウンロードされてもよい。
【符号の説明】
【００８６】
１・・・表紙、２・・・裏表紙、３・・・背表紙、１１・・・管理バーコード、２１・・・ＩＳＢＮバーコード、ＩＳＳＮバーコード、２２・・・価格バーコード、３１・・・ラベル、１００・・・画像処理装置、１０１・・・制御部、１０２・・・記憶部、１０３・・・画像形成部、１０４・・・画像読取部、１０５・・・通信部、１０６・・・ＵＩ部、１１０・・・情報処理装置、２００・・・サーバ装置、２１０・・・制御部、２２０・・・記憶部、２２１・・・図書ＤＢ、２２２・・・雑誌ＤＢ、２２３・・・分類テーブル、２３０・・・通信部、３００・・・書誌情報記憶装置、４００・・・ネットワーク。
【図１】
2020025336.tif 000003
【図２】
2020025336.tif 000004
【図３】
2020025336.tif 000005
【図４】
2020025336.tif 000006
【図５】
2020025336.tif 000007
【図６】
2020025336.tif 000008
【図７】
2020025336.tif 000009
【図８】
2020025336.tif 000010
【図９】
2020025336.tif 000011
【図１０】
2020025336.tif 000012
【図１１】
2020025336.tif 000013
【図１２】
2020025336.tif 000014
【図１３】
2020025336.tif 000015